(57)【特許請求の範囲】
【請求項１】
光触媒コートが施された外装面に清掃範囲を定めて閉塞空間を形成し、
この閉塞空間の前記外装面に紫外線を、紫外線ランプの周りに設けた反射板を揺動させて照射した後、
当該外装面の上方から下方に水膜が形成されるように散水して洗い流すようにし、
水膜が形成された外装面に、エアを吹き付けて水切り・乾燥させた後、散水した水を回収して循環するようにし、
次いで、前記閉塞空間を移動して清掃するようにしたことを特徴とする光触媒コートが施された外装面の清掃方法。
【請求項２】
光触媒コートが施された外装面に清掃範囲を定めて閉塞空間を形成し、
この閉塞空間の前記外装面に紫外線を照射した後、
当該外装面の上方から下方に水膜が形成されるように散水して洗い流すようにし、
水膜が形成された外装面に、エアの吹き付けと、散水の回収とを、送風手段の吸排気系を利用して前記エアを吹き付けて水切り・乾燥させた後、前記散水した水を回収して循環するようにし、
次いで、前記閉塞空間を移動して清掃するようにしたことを特徴とする光触媒コートが施された外装面の清掃方法。
【請求項３】
前記水膜が形成された外装面に、エアの吹き付けと、散水の回収とを、送風手段の吸排気系を利用して前記エアを吹き付けて水切り・乾燥させた後、前記散水した水を回収して循環するようにしたことを特徴とする請求項１に記載の光触媒コートが施された外装面の清掃方法。
【請求項４】
前記清掃範囲の周囲をエアクッションで囲って閉塞空間を形成するようにしたことを特徴とする請求項１〜３のいずれかに記載の光触媒コートが施された外装面の清掃方法。
【請求項５】
前記水膜を形成する散水を、散水ノズルを揺動させて行うようにしたことを特徴とする請求項１〜４のいずれかに記載の光触媒コートが施された外装面の清掃方法。
【請求項６】
光触媒コートが施された外装面の清掃範囲を囲って閉塞空間を形成する清掃範囲閉塞手段と、
この清掃範囲閉塞手段で囲まれた前記外装面に紫外線を照射して光触媒コートを活性化する紫外線ランプと、その周りに設けた反射板と、この反射板を揺動させる揺動機構とで構成した紫外線照射手段と、
この紫外線照射手段で活性化された当該外装面に水膜が形成されるように散水して洗い流す散水手段と、
この散水手段で洗い流された前記外装面に、エアを吹き付けて水切り・乾燥させる水切り乾燥手段と、
この水切り乾燥手段で流下する散水を回収するとともに、循環させる散水回収循環手段と、を清掃装置本体に備えてなることを特徴とする光触媒コートが施された外装面の清掃装置。
【請求項７】
光触媒コートが施された外装面の清掃範囲を囲って閉塞空間を形成する清掃範囲閉塞手段と、
この清掃範囲閉塞手段で囲まれた前記外装面に紫外線を照射して光触媒コートを活性化する紫外線照射手段と、
この紫外線照射手段で活性化された当該外装面に水膜が形成されるように散水して洗い流す散水手段と、
この散水手段で洗い流された前記外装面に、エアを吹き付けて水切り・乾燥させる水切り乾燥手段と、
この水切り乾燥手段で流下する散水を回収するとともに、循環させる散水回収循環手段と、を清掃装置本体に備えてなり、前記水切り乾燥手段と前記散水回収循環手段とを、送風手段の吸排気系を利用して行うよう構成してなることを特徴とする光触媒コートが施された外装面の清掃装置。
【請求項８】
前記水切り乾燥手段と前記散水回収循環手段とを、送風手段の吸排気系を利用して行うよう構成してなることを特徴とする請求項６に記載の光触媒コートが施された外装面の清掃装置。
【請求項９】
前記清掃範囲閉塞手段を、前記清掃装置本体の周囲に設けられるエアクッションで構成したことを特徴とする請求項６〜８のいずれかに記載の光触媒コートが施された外装面の清掃装置。
【請求項１０】
前記散水手段を、水タンクと、ポンプと、散水ノズルと、この散水ノズルを揺動させる揺動機構とで構成したことを特徴とする請求項６〜９のいずれかに記載の光触媒コートが施された外装面の清掃装置。
【請求項１１】
前記清掃装置本体に、昇降させる昇降機構に設けて前記清掃範囲を移動することを繰り返して清掃可能に構成したことを特徴とする請求項６〜１０のいずれかに記載の光触媒コートが施された外装面の清掃装置。
【請求項１２】
前記清掃装置本体に、光触媒コートが施された前記外装面を監視するＣＣＤカメラを設けて構成したことを特徴とする請求項６〜１１のいずれかに記載の光触媒コートが施された外装面の清掃装置。
【発明の詳細な説明】
【技術分野】
【０００１】
この発明は光触媒コートが施された外装面の清掃方法およびその装置に関し、建築物などの構造物の外壁やガラスなどの外装面の汚れを防止するためセルフクリーニング作用のある光触媒コートを施した外装面をセルフクリーニング作用を利用して清掃できるようにしたものである。
【背景技術】
【０００２】
近年、建築物などの構造物の外壁やガラスなどの外装面の汚れを防止するためセルフクリーニング作用のある光触媒コートを施すことが提案され、一部実用化されている。
【０００３】
このような外装面に施す光触媒コートは二酸化チタンの化学反応によるセルフクリーニング作用を利用するもので、例えばガラス面に光触媒コートを設けた場合には、光（紫外線）が当ると光触媒の表面に活性酸素が発生し、ガラス面に付着した汚れを活性酸素が分解し、付着力を弱め、付着力が弱くなった汚れが雨水によって流されることでセルフクリーニングが可能となる（特許文献１など）。
【０００４】
したがって、セルフクリーニング作用が発揮されない条件として、いくつかの要因がある。
まず、汚れ成分が無機物の場合には理論上、分解することができないこと、日光（紫外線）が当らない面では、化学反応が起きず、効果が発揮されないこと、雨水がかからなかったり、雨水が少量で洗い流せない場合は、逆に汚れが酷くなることを挙げることができる。
【先行技術文献】
【特許文献】
【０００５】
【特許文献１】特開２００５−３２０２４０号公報
【特許文献２】特開２００９−１３８１２５号公報
【発明の概要】
【発明が解決しようとする課題】
【０００６】
このような要因から光触媒コートを施した外装面でも上記要因のほか、その耐久性や防汚性はある程度、手を入れてメインテナンスしないと、これまでのガラスと同等な清掃した状態にすることはできないという問題があることが分かった。
【０００７】
一方、これまでのガラス面の清掃のように少量の水を表面に散水し、ブラシやへら等で掻き落として汚水と汚れを回収する清掃では、ガラス面の光触媒コートが損傷したり、剥離してしまう恐れがあり、一層セルフクリーニング作用が発揮できなくなるという問題がある。
【０００８】
この発明は、上記従来技術の課題に鑑みてなされたもので、日光（紫外線）が当らなかったり、雨水が少ないなどのセルフクリーニング作用が発揮されない要因があっても光触媒コートが施された外装面をそのセルフクリーニング作用を利用して清掃することで、光触媒コートの損傷や剥離を防止でき、効率的に清掃することができる光触媒コートが施された外装面の清掃方法およびその装置を提供しようとするものである。
【課題を解決するための手段】
【０００９】
上記課題を解決するためこの発明の請求項１記載の光触媒コートが施された外装面の清掃方法は、光触媒コートが施された外装面に清掃範囲を定めて閉塞空間を形成し、この閉塞空間の前記外装面に紫外線を、紫外線ランプの周りに設けた反射板を揺動させて照射した後、当該外装面の上方から下方に水膜が形成されるように散水して洗い流すようにし、水膜が形成された外装面に、エアを吹き付けて水切り・乾燥させた後、散水した水を回収して循環するようにし、次いで、前記閉塞空間を移動して清掃するようにしたことを特徴とするものである。
【００１０】
この発明の請求項２記載の光触媒コートが施された外装面の清掃方法は、光触媒コートが施された外装面に清掃範囲を定めて閉塞空間を形成し、この閉塞空間の前記外装面に紫外線を照射した後、当該外装面の上方から下方に水膜が形成されるように散水して洗い流すようにし、水膜が形成された外装面に、エアの吹き付けと、散水の回収とを、送風手段の吸排気系を利用して前記エアを吹き付けて水切り・乾燥させた後、前記散水した水を回収して循環するようにし、次いで、前記閉塞空間を移動して清掃するようにしたことを特徴とするものである。
【００１１】
この発明の請求項３記載の光触媒コートが施された外装面の清掃方法は、請求項１に記載の構成に加え、前記水膜が形成された外装面に、エアの吹き付けと、散水の回収とを、送風手段の吸排気系を利用して前記エアを吹き付けて水切り・乾燥させた後、前記散水した水を回収して循環するようにしたことを特徴とするものである。
【００１２】
この発明の請求項４記載の光触媒コートが施された外装面の清掃方法は、請求項１〜３のいずれかに記載の構成に加え、前記清掃範囲の周囲をエアクッションで囲って閉塞空間を形成するようにしたことを特徴とするものである。
【００１３】
この発明の請求項５記載の光触媒コートが施された外装面の清掃方法は、請求項１〜４のいずれかに記載の構成に加え、前記水膜を形成する散水を、散水ノズルを揺動させて行うようにしたことを特徴とするものである。
【００１４】
この発明の請求項６記載の光触媒コートが施された外装面の清掃装置は、光触媒コートが施された外装面の清掃範囲を囲って閉塞空間を形成する清掃範囲閉塞手段と、この清掃範囲閉塞手段で囲まれた前記外装面に紫外線を照射して光触媒コートを活性化する紫外線ランプと、その周りに設けた反射板と、この反射板を揺動させる揺動機構とで構成した紫外線照射手段と、この紫外線照射手段で活性化された当該外装面に水膜が形成されるように散水して洗い流す散水手段と、この散水手段で洗い流された前記外装面に、エアを吹き付けて水切り・乾燥させる水切り乾燥手段と、この水切り乾燥手段で流下する散水を回収するとともに、循環させる散水回収循環手段と、を清掃装置本体に備えてなることを特徴とするものである。
【００１５】
この発明の請求項７記載の光触媒コートが施された外装面の清掃装置は、光触媒コートが施された外装面の清掃範囲を囲って閉塞空間を形成する清掃範囲閉塞手段と、この清掃範囲閉塞手段で囲まれた前記外装面に紫外線を照射して光触媒コートを活性化する紫外線照射手段と、この紫外線照射手段で活性化された当該外装面に水膜が形成されるように散水して洗い流す散水手段と、この散水手段で洗い流された前記外装面に、エアを吹き付けて水切り・乾燥させる水切り乾燥手段と、この水切り乾燥手段で流下する散水を回収するとともに、循環させる散水回収循環手段と、を清掃装置本体に備えてなり、前記水切り乾燥手段と前記散水回収循環手段とを、送風手段の吸排気系を利用して行うよう構成してなることを特徴とするものである。
【００１６】
この発明の請求項８記載の光触媒コートが施された外装面の清掃装置は、請求項６に記載の構成に加え、前記水切り乾燥手段と前記散水回収循環手段とを、送風手段の吸排気系を利用して行うよう構成してなることを特徴とするものである。
【００１７】
この発明の請求項９記載の光触媒コートが施された外装面の清掃装置は、請求項６〜８のいずれかに記載の構成に加え、前記清掃範囲閉塞手段を、前記清掃装置本体の周囲に設けられるエアクッションで構成したことを特徴とするものである。
【００１８】
この発明の請求項１０記載の光触媒コートが施された外装面の清掃装置は、請求項６〜９のいずれかに記載の構成に加え、前記散水手段を、水タンクと、ポンプと、散水ノズルと、この散水ノズルを揺動させる揺動機構とで構成したことを特徴とするものである。
【００１９】
この発明の請求項１１記載の光触媒コートが施された外装面の清掃装置は、請求項６〜１０のいずれかに記載の構成に加え、前記清掃装置本体に、昇降させる昇降機構に設けて前記清掃範囲を移動することを繰り返して清掃可能に構成したことを特徴とするものである。
【００２０】
この発明の請求項１２記載の光触媒コートが施された外装面の清掃装置は、請求項６〜１１のいずれかに記載の構成に加え、前記清掃装置本体に、光触媒コートが施された前記外装面を監視するＣＣＤカメラを設けて構成したことを特徴とするものである。
【発明の効果】
【００２１】
この発明の請求項１記載の光触媒コートが施された外装面の清掃方法によれば、光触媒コートが施された外装面に清掃範囲を定めて閉塞空間を形成し、この閉塞空間の前記外装面に紫外線を、紫外線ランプの周りに設けた反射板を揺動させて照射した後、当該外装面の上方から下方に水膜が形成されるように散水して洗い流すようにし、水膜が形成された外装面に、エアを吹き付けて水切り・乾燥させた後、散水した水を回収して循環するようにし、次いで、前記閉塞空間を移動して清掃するようにしたので、光触媒コートが施された外装面に、清掃の際に紫外線を照射することで、光触媒を活性化して付着した汚れの付着力を弱めることができ、この状態で水膜を形成するよう散水して上方から下方に洗い流すことで、外装面を清浄にすることができる。また、水膜で洗い流した清浄面にエアを吹き付けて水切りと乾燥を行うことで外装面に再び埃などの汚れの再付着を防止することができる。さらに、散水に用いた水は回収して（フィルタなどで汚れを除去して）循環して使用することで、清掃に必要な水を最小限とすることができる。また、清掃範囲を定めて閉塞空間とする清掃面を移動しながら清掃を行うことで、清掃の必要な全範囲を清掃することができる。また、紫外線照射を、紫外線ランプの周りに設けた反射板を揺動させて行うようにしたので、揺動する反射板で紫外線ランプからの紫外線を広範囲に照射することができ、効率よく清掃することができる。
これにより、日光（紫外線）が当らなかったり、雨水が少ないなどのセルフクリーニング作用が発揮されない要因があっても清掃の際に紫外線を照射して光触媒コートが施された外装面をそのセルフクリーニング作用を利用して清掃することができ、光触媒コートの損傷や剥離を防止することができるとともに、効率的に清掃することができる。
【００２２】
この発明の請求項２記載の光触媒コートが施された外装面の清掃方法によれば、光触媒コートが施された外装面に清掃範囲を定めて閉塞空間を形成し、この閉塞空間の前記外装面に紫外線を照射した後、当該外装面の上方から下方に水膜が形成されるように散水して洗い流すようにし、水膜が形成された外装面に、エアの吹き付けと、散水の回収とを、送風手段の吸排気系を利用して前記エアを吹き付けて水切り・乾燥させた後、前記散水した水を回収して循環するようにし、次いで、前記閉塞空間を移動して清掃するようにしたので、光触媒コートが施された外装面に、清掃の際に紫外線を照射することで、光触媒を活性化して付着した汚れの付着力を弱めることができ、この状態で水膜を形成するよう散水して上方から下方に洗い流すことで、外装面を清浄にすることができる。また、水膜で洗い流した清浄面にエアを吹き付けて水切りと乾燥を行うことで外装面に再び埃などの汚れの再付着を防止することができる。さらに、散水に用いた水は回収して（フィルタなどで汚れを除去して）循環して使用することで、清掃に必要な水を最小限とすることができる。また、清掃範囲を定めて閉塞空間とする清掃面を移動しながら清掃を行うことで、清掃の必要な全範囲を清掃することができる。また、エアの吹き付けと、前記散水の回収とを、送風手段の吸排気系を利用して行うようにしたので、エアの吹き付けを送風手段の排気系で行い、散水の回収を送風手段の吸気系で行うことで、一基の送風手段で清掃することができる。
【００２３】
この発明の請求項３記載の光触媒コートが施された外装面の清掃方法によれば、水膜が形成された外装面に、エアの吹き付けと、散水の回収とを、送風手段の吸排気系を利用して前記エアを吹き付けて水切り・乾燥させた後、前記散水した水を回収して循環するようにしたので、エアの吹き付けを送風手段の排気系で行い、散水の回収を送風手段の吸気系で行うことで、一基の送風手段で清掃することができる。
【００２４】
この発明の請求項４記載の光触媒コートが施された外装面の清掃方法によれば、前記清掃範囲の周囲をエアクッションで囲って閉塞空間を形成するようにしたので、エアクッションを用いて清掃範囲を設定する閉塞空間を簡単に作り出すことができ、汚れや水などの飛散を防止して清掃することができる。
【００２５】
この発明の請求項５記載の光触媒コートが施された外装面の清掃方法によれば、前記水膜を形成する散水を、散水ノズルを揺動させて行うようにしたので、揺動させた散水ノズルから散水させて水膜を形成することができ、最小限の水で水膜を形成して効率よく清掃することができる。
【００２６】
この発明の請求項６記載の光触媒コートが施された外装面の清掃装置によれば、光触媒コートが施された外装面の清掃範囲を囲って閉塞空間を形成する清掃範囲閉塞手段と、この清掃範囲閉塞手段で囲まれた前記外装面に紫外線を照射して光触媒コートを活性化する紫外線ランプと、その周りに設けた反射板と、この反射板を揺動させる揺動機構とで構成した紫外線照射手段と、この紫外線照射手段で活性化された当該外装面に水膜が形成されるように散水して洗い流す散水手段と、この散水手段で洗い流された前記外装面に、エアを吹き付けて水切り・乾燥させる水切り乾燥手段と、この水切り乾燥手段で流下する散水を回収するとともに、循環させる散水回収循環手段と、を清掃装置本体に備えてなるので、清掃範囲閉塞手段で光触媒コートが施された外装面の清掃範囲を囲って閉塞空間を形成することができ、光触媒コートが施された外装面に紫外線照射手段で清掃の際に紫外線を照射することで、光触媒を活性化して付着した汚れの付着力を弱めることができ、この状態で散水手段で水膜を形成するよう散水して上方から下方に洗い流すことで、外装面を清浄にすることができる。また、水膜で洗い流した清浄面に水切り乾燥手段でエアを吹き付けて水切りと乾燥を行うことで外装面に再び埃などの汚れの再付着を防止することができる。さらに、散水回収循環手段で散水に用いた水を回収して（フィルタなどで汚れを除去して）循環して使用することで、清掃に必要な水を最小限とすることができる。また、紫外線照射手段を、紫外線ランプと、その周りに設けた反射板と、この反射板を揺動させる揺動機構とで構成したので、揺動する反射板で紫外線ランプからの紫外線を広範囲に照射することができ、効率よく清掃することができる。
これにより、日光（紫外線）が当らなかったり、雨水が少ないなどのセルフクリーニング作用が発揮されない要因があっても清掃の際に紫外線を照射して光触媒コートが施された外装面をそのセルフクリーニング作用を利用して清掃することができ、光触媒コートの損傷や剥離を防止することができるとともに、効率的に清掃することができる。
【００２７】
この発明の請求項７記載の光触媒コートが施された外装面の清掃装置によれば、光触媒コートが施された外装面の清掃範囲を囲って閉塞空間を形成する清掃範囲閉塞手段と、この清掃範囲閉塞手段で囲まれた前記外装面に紫外線を照射して光触媒コートを活性化する紫外線照射手段と、この紫外線照射手段で活性化された当該外装面に水膜が形成されるように散水して洗い流す散水手段と、この散水手段で洗い流された前記外装面に、エアを吹き付けて水切り・乾燥させる水切り乾燥手段と、この水切り乾燥手段で流下する散水を回収するとともに、循環させる散水回収循環手段と、を清掃装置本体に備えてなり、前記水切り乾燥手段と前記散水回収循環手段とを、送風手段の吸排気系を利用して行うよう構成してなるので、清掃範囲閉塞手段で光触媒コートが施された外装面の清掃範囲を囲って閉塞空間を形成することができ、光触媒コートが施された外装面に紫外線照射手段で清掃の際に紫外線を照射することで、光触媒を活性化して付着した汚れの付着力を弱めることができ、この状態で散水手段で水膜を形成するよう散水して上方から下方に洗い流すことで、外装面を清浄にすることができる。また、水膜で洗い流した清浄面に水切り乾燥手段でエアを吹き付けて水切りと乾燥を行うことで外装面に再び埃などの汚れの再付着を防止することができる。さらに、散水回収循環手段で散水に用いた水を回収して（フィルタなどで汚れを除去して）循環して使用することで、清掃に必要な水を最小限とすることができる。また、水切り乾燥手段と散水回収循環手段とを、送風手段の吸排気系を利用して行うよう構成したので、エアを吹き付ける水切り乾燥手段を送風手段の排気系で行い、散水の回収を行う散水回収循環手段を送風手段の吸気系で行うことで、一基の送風手段で水切り乾燥と散水の回収とを行うことができ、コンパクトな装置で清掃することができる。
これにより、日光（紫外線）が当らなかったり、雨水が少ないなどのセルフクリーニング作用が発揮されない要因があっても清掃の際に紫外線を照射して光触媒コートが施された外装面をそのセルフクリーニング作用を利用して清掃することができ、光触媒コートの損傷や剥離を防止することができるとともに、効率的に清掃することができる。
【００２８】
この発明の請求項８記載の光触媒コートが施された外装面の清掃装置によれば、前記水切り乾燥手段と前記散水回収循環手段とを、送風手段の吸排気系を利用して行うよう構成してなるので、エアを吹き付ける水切り乾燥手段を送風手段の排気系で行い、散水の回収を行う散水回収循環手段を送風手段の吸気系で行うことで、一基の送風手段で水切り乾燥と散水の回収とを行うことができ、コンパクトな装置で清掃することができる。
【００２９】
この発明の請求項９記載の光触媒コートが施された外装面の清掃装置によれば、前記清掃範囲閉塞手段を、前記清掃装置本体の周囲に設けられるエアクッションで構成したので、エアクッションで構成した清掃範囲閉塞手段で清掃範囲を設定する閉塞空間を簡単に作り出すことができ、汚れや水などの飛散を防止して清掃することができる。
【００３０】
この発明の請求項１０記載の光触媒コートが施された外装面の清掃装置によれば、前記散水手段を、水タンクと、ポンプと、散水ノズルと、この散水ノズルを揺動させる揺動機構とで構成したので、揺動機構で揺動させた散水手段の散水ノズルに、水タンクと、ポンプとから給水して散水させることで、水膜を形成することができ、最小限の水で水膜を形成して効率よく清掃することができる。
【００３１】
この発明の請求項１１記載の光触媒コートが施された外装面の清掃装置によれば、前記清掃装置本体に、昇降させる昇降機構に設けて前記清掃範囲を移動することを繰り返して清掃可能に構成したので、昇降位置を変えることで、清掃範囲を定めて閉塞空間とする清掃面を移動しながら清掃を行うことができ、清掃の必要な全範囲を昇降移動によって清掃することができる。
【００３２】
この発明の請求項１２記載の光触媒コートが施された外装面の清掃装置によれば、前記清掃装置本体に、光触媒コートが施された前記外装面を監視するＣＣＤカメラを設けて構成したので、ＣＣＤカメラで監視することで、清掃と同時に外装面の状態を監視することができる。
【図面の簡単な説明】
【００３３】
【図１】この発明の光触媒コートが施された外装面の清掃装置の一実施の形態にかかる作業前の概略側断面図である。
【図２】この発明の光触媒コートが施された外装面の清掃装置の一実施の形態にかかる作業状態の概略側断面図である。
【図３】この発明の光触媒コートが施された外装面の清掃装置の一実施の形態にかかる正面図、平断面図および右側断面図である。
【発明を実施するための形態】
【００３４】
以下、この発明の光触媒コートが施された外装面の清掃装置の一実施の形態について添付図面を参照して詳細に説明する。
この光触媒コートが施された外装面の清掃では、光触媒コートが施された窓ガラスなどの外装面Ｗに、清掃のために紫外線を照射し、光触媒を活性化させて付着した汚れの付着力を弱め、水膜を形成するように散水して洗い流した後、水切りと乾燥を行って再び汚れが付着することを防止するようにして清掃するものであり、通常の少量の水を掛けてブラシやへらで掻き落とすものとは異なり、外装面の光触媒コートを利用して洗い流すようにして清掃するものである。
【００３５】
このような清掃方法を行う光触媒コートが施された外装面の清掃装置１は、清掃に必要な各手段や機器などが搭載される清掃装置本体１０を備えており、窓ガラスなどの被清掃面である外装面Ｗと対向する正面が開口した矩形の箱状に構成されている。
【００３６】
この清掃装置本体１０は、図示省略したが、構造物の屋上などに設置されるルーフカーに設けた巻取装置で構成された昇降機構を構成する吊りワイヤ１１を介して吊り下げられ、巻取装置による巻上げ、巻戻しで昇降されるようになっている。
また、この清掃装置本体１０には、開口部の四隅に被清掃面である外装面に予め設置されたガイドレールに沿ってガイドするガイド機構１２が設けられ、水平回転軸が直交する走行輪とガイド輪とを組合わせて昇降方向両側である左右および外装面Ｗに対する接近離反方向である前後のガイドができるようにしてある。
【００３７】
なお、清掃装置本体の昇降機構としては、清掃装置本体内に設けたワインダ（無端巻取装置）に巻き掛けて巻き掛け位置を移動しながら昇降する機構としたり、昇降に加え、横方向への移動も可能とする横行機構を組合わせて設けるようにすることもできる。また、ガイド機構は、予め設置されたガイドレールを利用するもののほか、清掃装置本体に真空吸着パッドなどを搭載して吸着位置を移動するなどでガイドや清掃装置本体を支持する機構とすることもできる。
【００３８】
このような昇降移動される清掃装置本体１０には、１回分の清掃範囲を囲って閉塞される空間（閉塞空間）を形成するための清掃範囲閉塞手段１３としてエアクッション１４が清掃装置本体１０の開口の周囲に取り付けてある。
このエアクッション１４は、中空体の内部にエアを供給することで膨らませて外装面Ｗと清掃装置本体１０との間を密閉状態にし、空気を排出することで収縮させて外装面Ｗと清掃装置本体１０との間に空間を確保して移動可能とする。このエアクッション１４は４辺に一気室で構成したものを配置したり、各辺ごとに気室を区分して配置するもののいずれでも良い。
【００３９】
このようなエアクッション１４で囲まれた閉塞空間で清掃するため、清掃装置本体１０には、紫外線照射手段１５として棒状の紫外線ランプ１６が水平に配置されるとともに、２本が上下に配置され、紫外線ランプ１６の外側を覆って円筒体の側面に照射開口部１７ａを形成した反射板１７が設けてある。この反射板１７は図示しない揺動機構を備え、反射板１７を水平軸回りに揺動することで、紫外線を照射開口部１７ａから上下方向の広範囲に向けて照射し、２つの紫外線ランプ１６、１６で１回分の清掃範囲全体に紫外線を照射できるようにしてある。
このような紫外線照射手段１５の紫外線ランプ１６で光触媒コートが施された外装面Ｗに紫外線を照射することで、日光（紫外線）が当たらなかった外装面Ｗであっても光触媒を活性化して汚れの付着力を弱めることができる。
【００４０】
この清掃装置本体１０には、紫外線照射手段１５で活性化された外装面Ｗに水膜を形成するよう散水して汚れを洗い流す散水手段１８が搭載され、水平な散水管１９に複数の散水ノズル２０が取り付けてあり、１回分の清掃範囲の横幅全体に散水できるようにしてある。また、散水管１９には、図示しない揺動機構が設けてあり、揺動管２１を介して散水管１９を水平軸回りに揺動することで、散水ノズル２０を上下方向に向けることができ、これにより、上方から下方に水膜が形成されるように散水して汚れを洗い流すことができる。
したがって、この散水手段１８による散水量は、外装面Ｗに付着し付着力が弱められた汚れを洗い流すことができる状態を確保できるように定めればよいことになる。
この散水手段１８には、水タンクやポンプが備えられ、水タンクからの水をポンプで加圧して散水ノズル２０から散水できるようにしてあり、散水後の水は、後述するように、回収して再循環するようにしてある。
【００４１】
汚れが洗い流された外装面Ｗには、水切りと乾燥を行うことで埃などが再付着して汚れることを防止するため、水切り乾燥手段２２が清掃装置本体１０に設けてある。
さらに、この清掃装置本体１０には、水切り乾燥手段２２によって流下する散水を回収するとともに、循環して使用するための散水回収循環手段２３が設けてあり、ここでは、水切り乾燥手段２２と散水回収循環手段２３とが送風手段２４の吸気系を散水の回収に、排気系を乾燥に、それぞれ利用することで、１つの送風手段２４を兼用するように構成してある。
【００４２】
すなわち、送風手段２４としてエアブロア２５が設置され、排気側である吹き出し側と吸引側である吸気側にそれぞれ排気ダクト２６と吸気ダクト２７が接続されて外装面Ｗに対して伸縮可能な伸縮部が介装されて外装面Ｗに当接させるように接近させたり、離反させることができるようにしてある。
そして、排気ダクト２６の先端部には、１回分の清掃範囲の上端縁に沿って吹出口２６ａが形成されるとともに、吹出口２６ａの上部には、ゴム等の上部スクイジー２８が取り付けられて外装面Ｗに当ててシール状態にしてエアを吹き付けて水切りと乾燥ができるようにしてある。
また、吸気ダクト２７の先端部にも同様に、１回分の清掃範囲の下端縁に沿って吸込口２７ａが形成されるとともに、吸込口２７ａの下部には、ゴム等の下部スクイジー２９が取り付けられて外装面Ｗに当ててシール状態として汚水を漏らすことなく吸込口２７ａに回収できるようにしてあり、吸気ダクト２７の途中には、防滴フィルタ２７ｂが介装され、汚水の汚れを分離するとともに、気体をエアブロア２５に吸引させ、水分は水タンクに戻すことができるようにしてある。
【００４３】
さらに、この清掃装置本体１０には、外装面Ｗを監視できるようにＣＣＤカメラ３０が設けてあり、例えば反射板１７，１７にそれぞれＣＣＤカメラ３０，３０を取り付けることで、紫外線照射手段１５の揺動機構を利用して外装面Ｗ全体を監視できるようにしてある。
【００４４】
次に、このように構成した光触媒コートが施された外装面の清掃装置１の動作とともに、清掃方法について説明する。
まず、清掃装置本体１０を第１回分の清掃範囲とする位置に昇降機構を構成する吊りワイヤ１１を介してガイド機構１２でガイドして昇降移動する（図１参照）。
【００４５】
清掃装置本体１０を移動した後、清掃範囲を閉塞空間とするため、清掃範囲閉塞手段１３のエアクッション１４にエアを供給して膨らますことで、外装面Ｗと清掃装置本体１０の開口部との間を塞いだ状態にする（図２参照）。
さらに、水切り乾燥手段２２および散水回収手段２３を構成する排気ダクト２６および吸気ダクト２７を伸縮部で伸張させて上部スクイジー２８および下部スクイジー２９を外装面Ｗの上端縁および下端縁に当接させてシール状態とする。
【００４６】
こうして清掃の準備が完了した後、清掃の開始として、まず、紫外線照射手段１５の紫外線ランプ１６，１６を点灯するとともに、反射板１７，１７を揺動機構を介して照射開口部１７ａ，１７ａを上下方向に回動させて外装面Ｗ全体に紫外線を照射する。
この紫外線の照射は、光触媒コートが施された外装面Ｗが活性化して汚れの付着力が弱まるように設定すればよく、紫外線ランプ１６，１６大きさや容量、外装面Ｗの汚れの状態などに応じて定めるようにする。
【００４７】
次に、紫外線の照射により汚れの付着力が弱められた外装面Ｗに、清掃装置本体１０の散水手段１８の散水管１９先端の散水ノズル２０から散水するとともに、揺動管２１を揺動機構で揺動することで、水膜を上方から下方に形成して外装面Ｗの汚れを洗い流すようにする（図２参照）。
散水による洗い流しに連続して、水切り乾燥手段２２および散水回収手段２３を兼用する送風手段２４のエアブロア２５を運転し、外装面Ｗの上端の排気ダクト２６の吹出口２６ａから水切り乾燥用のエアを吹き付けて水切りを行うとともに、外装面Ｗの下端の吸気ダクト２７の吸込口２７ａから汚水を回収するようにする。
回収された汚水は、吸気ダクト２７の途中の防滴フィルタ２７ｂで汚れ等の挟雑物と気体分と水分とに分離され、水分は循環して使用するため散水手段１８の水タンクに戻され、気体分であるエアはエアブロア２５に吸引され、挟雑物は取り出して廃棄処分する。
【００４８】
こうして閉塞空間として設定した１回の清掃分の外装面Ｗの清掃が終了した後、清掃範囲を閉塞空間とするための清掃範囲閉塞手段１３のエアクッション１４のエアを排出して縮めることで、外装面Ｗと清掃装置本体１０の開口部との間に空間をあけ、さらに、水切り乾燥手段２２および散水回収手段２３を構成する排気ダクト２６および吸気ダクト２７を伸縮部で収縮させて上部スクイジー２８および下部スクイジー２９を外装面Ｗから引き戻した退避状態とする。
【００４９】
この後、清掃装置本体１０を次の１回分の清掃範囲とする位置に昇降機構を構成する吊りワイヤ１１を介してガイド機構１２でガイドして昇降移動し、再び、清掃のための準備を行うことおよび清掃ための全工程を繰り返すことで、外装面Ｗ全体を清掃することで、清掃が完了する。
【００５０】
なお、清掃装置本体１０の移動を昇降機構だけでなく横行機構を組み合わせることで、効率的に移動して全面を短時間に清掃することができる。
【００５１】
以上、実施の形態とともに、詳細に説明したように、この光触媒コートが施された外装面の清掃方法によれば、光触媒コートが施された外装面Ｗに、清掃の際に紫外線を照射することで、光触媒を活性化して付着した汚れの付着力を弱めることができ、この状態で水膜を形成するよう散水して上方から下方に洗い流すことで、外装面Ｗを清浄にすることができる。また、水膜で洗い流した清浄面にエアを吹き付けて水切りと乾燥を行うことで外装面Ｗに埃などの汚れの再付着を防止することができる。さらに、散水に用いた水は回収してフィルタで汚れを除去して循環して使用することで、清掃に必要な水を最小限とすることができる。また、清掃範囲を定めて閉塞空間として、清掃面を移動しながら清掃を行うことで、汚れや汚水などの飛散を防止して清掃の必要な全範囲を効率良く清掃することができる。
これにより、日光（紫外線）が当らなかったり、雨水が少ないなどのセルフクリーニング作用が発揮されない要因があっても清掃の際に紫外線を照射して光触媒コートが施された外装面Ｗをそのセルフクリーニング作用を利用して清掃することができ、光触媒コートの損傷や剥離を防止することができるとともに、効率的に清掃することができる。
【００５２】
また、この光触媒コートが施された外装面の清掃方法によれば、清掃範囲の周囲をエアクッション１４で囲って閉塞空間を形成するようにしたので、清掃範囲を設定する閉塞空間を簡単に作り出すことができ、汚れや水などの飛散を防止して清掃することができる。
【００５３】
さらに、この光触媒コートが施された外装面の清掃方法によれば、紫外線照射を、紫外線ランプの周りに設けた反射板を揺動させて行うようにしたので、揺動する反射板１７で紫外線ランプ１６からの紫外線を広範囲に照射することができ、効率よく清掃することができる。
【００５４】
また、この光触媒コートが施された外装面の清掃方法によれば、水膜を形成する散水を、散水ノズル２０を揺動させて行うようにしたので、揺動させた散水ノズル２０で、最小限の水を用いて水膜を形成して効率よく清掃することができる。
【００５５】
さらに、この光触媒コートが施された外装面の清掃方法によれば、エアの吹き付けと、散水の回収とを、送風手段２４の吸排気系２６，２７を利用して行うようにしたので、一基の送風手段２４でエアの吹き付けと散水の回収を行って清掃することができる。
【００５６】
また、この光触媒コートが施された外装面の清掃装置１によれば、清掃範囲閉塞手段１３で光触媒コートが施された外装面Ｗの清掃範囲を囲って閉塞空間を形成することができ、光触媒コートが施された外装面Ｗに紫外線照射手段１５で清掃の際に紫外線を照射することで、光触媒を活性化して付着した汚れの付着力を弱めることができ、この状態で散水手段１８で水膜を形成するよう散水して上方から下方に洗い流すことで、外装面Ｗを清浄にすることができる。また、水膜で洗い流した清浄面Ｗに水切り乾燥手段２２でエアを吹き付けて水切りと乾燥を行うことで外装面Ｗに埃などの汚れの再付着を防止することができる。さらに、散水回収循環手段２３で散水に用いた水を回収してフィルタで汚れを除去して循環して使用することで、清掃に必要な水を最小限とすることができる。
これにより、日光（紫外線）が当らなかったり、雨水が少ないなどのセルフクリーニング作用が発揮されない要因があっても清掃の際に紫外線を照射して光触媒コートが施された外装面Ｗをそのセルフクリーニング作用を利用して清掃することができ、光触媒コートの損傷や剥離を防止することができるとともに、効率的に清掃することができる。
【００５７】
さらに、この光触媒コートが施された外装面の清掃装置１によれば、清掃範囲閉塞手段１３を、清掃装置本体１０の周囲に設けたエアクッション１４で構成したので、エアクッション１４で清掃範囲を設定する閉塞空間を簡単に作り出すことができ、汚れや水などの飛散を防止して清掃することができる。
【００５８】
また、この光触媒コートが施された外装面の清掃装置１によれば、紫外線照射手段１５を、紫外線ランプ１６と、その周りに設けた反射板１７と、この反射板１７を揺動させる揺動機構とで構成したので、紫外線を広範囲に照射することができ、効率よく清掃することができる。
【００５９】
さらに、この光触媒コートが施された外装面の清掃装置１によれば、散水手段１８を、水タンクと、ポンプと、散水ノズル１９と、この散水ノズル１９を揺動させる揺動機構とで構成したので、外装面Ｗに効率良く水膜を形成することができ、最小限の水で水膜を形成して清掃することができる。
【００６０】
また、この光触媒コートが施された外装面の清掃装置１によれば、水切り乾燥手段２２と散水回収循環手段２３とを、送風手段２４の吸排気系２６，２７を利用して行うよう構成したので、一基の送風手段２４で水切り乾燥と散水の回収とを行うことができ、コンパクトな装置で清掃することができる。
【００６１】
さらに、この光触媒コートが施された外装面の清掃装置１によれば、清掃装置本体１０に、昇降させる昇降機構に設けて記清掃範囲を移動することを繰り返して清掃可能に構成したので、昇降位置を変えることで、清掃範囲を定めて閉塞空間とする外装面を移動しながら清掃を行うことができ、清掃の必要な全範囲を昇降移動によって効率的に清掃することができる。
【００６２】
また、この光触媒コートが施された外装面の清掃装置１によれば、清掃装置本体１０に、光触媒コートが施された外装面Ｗを監視するＣＣＤカメラ３０を設けて構成したので、ＣＣＤカメラで各機器の状態や外装面の清掃状態などを監視することができる。
なお、上記実施の形態では、構造物の窓ガラスを外装面とした場合を例に説明したが、これに限らず、窓ガラス以外の光触媒コートが施された外装面の清掃に広く適用することができる。
【符号の説明】
【００６３】
１      光触媒コートが施された外装面の清掃装置
１０    清掃装置本体
１１    吊りワイヤ（昇降機構）
１２    ガイド機構
１３    清掃範囲閉塞手段
１４    エアクッション
１５    紫外線照射手段
１６    紫外線ランプ
１７    反射板
１７ａ  照射開口部
１８    散水手段
１９    散水管
２０    散水ノズル
２１    揺動管（揺動機構）
２２    水切り乾燥手段
２３    散水回収手段
２４    送風手段
２５    エアブロア
２６    排気ダクト（排気系）
２６ａ  吹出口
２７    吸気ダクト（吸気系）
２７ａ  吸込口
２７ｂ  防滴フィルタ
２８    上部スクイジー
２９    下部スクイジー
３０    ＣＣＤカメラ
【図１】
0005581486.tif 000002
【図２】
0005581486.tif 000003
【図３】
0005581486.tif 000004